(57)【特許請求の範囲】
【請求項１】
遊技媒体が投入される投入口と、前記遊技媒体が排出される排出口と、前記遊技媒体を洗浄する洗浄手段と、前記投入口から前記洗浄手段を経由して前記排出口へ遊技媒体を搬送する搬送路と、を備えた遊技媒体洗浄装置において、
前記搬送路が、複数の前記遊技媒体が並ぶ大きい幅を有し、少なくとも前記搬送路の全幅に跨る板状の搬送ガイドを備え、その搬送ガイドが、遊技媒体に押圧されて前記搬送路を押し広げる方向に変位可能に設けられ、前記搬送ガイドに対向して検知手段が設けられ、前記検知手段は、前記変位を検知する感知幅が前記搬送ガイドの幅よりも小さい遊技媒体洗浄装置。
【請求項２】
前記搬送路は、始端部が前記投入口の下側に位置し、終端部が上方の前記排出口に近いところに位置するように傾斜して設けられるコンベアと、前記排出口直前の乾燥ローラも有し、前記搬送ガイドが、前記コンベアの終端部から前記乾燥ローラへ前記遊技媒体を導く終端搬送路を形成する請求項１記載の遊技媒体洗浄装置。
【請求項３】
前記搬送路がベルトコンベアを有し、前記洗浄手段が前記ベルトコンベアのコンベア面に対向して設けられた研磨部材を備え、前記搬送ガイドが前記洗浄手段の研磨部材と一体に設けられている請求項１に記載の遊技媒体洗浄装置。
【発明の詳細な説明】
【０００１】
【発明の属する技術分野】
本発明は、主に遊技機等に使用される遊技媒体、例えばメダル等の洗浄に使用する洗浄装置に関する。
【０００２】
【従来の技術】
従来、実用新案登録第３０６４６０２号公報に見られるように、遊技媒体洗浄装置において遊技媒体の詰まりが発生した時の感知手段として、近接センサーによって搬送路内の遊技媒体を直接検知していた。
【０００３】
【発明が解決しようとする課題】
しかし、このような方法では、検知幅が近接センサーの感知幅のみで狭く、センサーの感知幅内で遊技媒体が詰まらなければ検知できず、後段の装置、例えば乾燥ローラが破損する場合があった。
本発明は、遊技媒体のつまりを検知する幅が大きく、確実につまりを検知できる遊技媒体洗浄装置を提供することを目的とする。
【０００４】
【課題を解決するための手段】
本発明の手段は、遊技媒体が投入される投入口と、前記遊技媒体が排出される排出口と、前記遊技媒体を洗浄する洗浄手段と、前記投入口から前記洗浄手段を経由して前記排出口へ遊技媒体を搬送する搬送路と、を備えた遊技媒体洗浄装置において、前記搬送路が、複数の前記遊技媒体が並ぶ大きい幅を有し、少なくとも前記搬送路の全幅に跨る板状の搬送ガイドを備え、その搬送ガイドが、遊技媒体に押圧されて前記搬送路を押し広げる方向に変位可能に設けられ、前記搬送ガイドに対向して検知手段が設けられ、前記検知手段は、前記変位を検知する感知幅が前記搬送ガイドの幅よりも小さいものである。
【０００５】
この手段では、搬送ガイドによって搬送路幅幅全体で遊技媒体の詰まりを検知することができるので、つまり、搬送路幅の一部に片寄って詰まりが生じてもこれを検出できるので、遊技媒体の詰まりを検知する幅が大きく、詰まりを確実に検知する。
【０００６】
前記本発明の手段において、前記搬送路は、始端部が前記投入口の下側に位置し、終端部が上方の前記排出口に近いところに位置するように傾斜して設けられるコンベアと、前記排出口直前の乾燥ローラも有し、前記搬送ガイドを、前記コンベアの終端部から前記乾燥ローラへ前記遊技媒体を導く終端搬送路を形成するものにできる。また、前記搬送路がベルトコンベアを有し、前記洗浄手段が前記ベルトコンベアのコンベア面に対向して設けられた研磨部材を備え、前記搬送ガイドが前記洗浄手段の研磨部材と一体に設けられている構成とするのがよい。この構成では、洗浄手段の研磨部材と搬送ガイドとが一体に設けられているので、簡単な構造で遊技媒体の詰まりを検知することができる。
【０００７】
【発明の実施の形態】
本発明の実施の形態は、概して、遊技島や遊技機、遊技媒体貸出機等から回収されてきた遊技媒体であるメダルを搬送手段で搬送し、搬送中に、洗浄液を使用する洗浄手段で洗浄し、乾燥手段でメダルの洗浄液を除去して乾燥させる構成の遊技媒体洗浄装置である。
【０００８】
この遊技媒体洗浄装置は、図１〜図１２に示すように、本体フレーム１、搬送手段２（コンベア１８）、分離分別手段３、洗浄手段４（洗浄液塗布部４７、研磨部４８）、乾燥手段５、洗浄手段４に付随したタンク６等で構成されており、以下これらについて説明する。
【０００９】
本体フレーム１は、図１〜図２に示すように、傾斜した樋部１０が、脚部１１、１２で支持された構成である。樋部１０は、傾斜した下方の端部に下方に開口した開口１３を有している。また、本体フレーム１には、樋部１０の下流側上方位置に遊技機等から回収されてきた遊技媒体であるメダル１４を装置内に投入する遊技媒体投入口１５が設けられている。その投入は、例えばリフトによって行われる。そして、樋部１０の傾斜した上方の端部には洗浄されたメダル１４をホッパー１６に排出する遊技媒体排出口１７が設けられている。
【００１０】
搬送手段２は、遊技媒体洗浄装置内でメダル１４を載置して搬送するもので、大部分がコンベア１８で構成され、遊技媒体排出口１７直前の部分が乾燥手段５の乾燥ローラで構成されている。図１に示すように、コンベア１８は、樋部１０の底から上方へ離れた位置に、樋部１０にほぼ平行に傾斜し、下方の端部を始端側として本体フレーム１に着脱自在に設けられ、その始端部が前記投入口１５の下側に位置し、終端部が前記排出口１７に近いところに位置している。コンベア１８の両側面には、コンベア１８からメダルがこぼれるのを防止するためのコンベアガイド１９が取り付けられている。コンベア１８の始端部を傾斜させているのは、コンベア１８上のメダル１４が積み重なっていても、積み重なったメダルが滑り落ちることでメダルを１枚ずつに分離しやすくするためである。
【００１１】
コンベア１８は、図１〜図５に見られるように、駆動ローラ２０や従動ローラ２１が取り付けられたコンベアフレーム２２と、駆動ローラ２０および従動ローラ２１に張設された無端ベルト２３から成っている。コンベアフレーム２２は、上部コンベアフレーム２４と下部コンベアフレーム２５との２つの部分が端部の連結部２６で連結され、コンベアフレーム２２が本体フレーム１から分離しているときには、連結部２６を軸として自由に折り曲げることができるようになっている。この傾斜して設けられるコンベアフレーム２２の上側端に駆動ローラ２０が設けられ、本体フレーム１に設けてあるモータ２７で歯車２８、２９、３０、３１を介して駆動される。コンベアフレーム２２の下側端には、図５に示すように、従動ローラ２１が、張設される無端ベルトの張力を設定するテンションばね３２と共に設けられている。テンションばね３２は下部コンベアフレーム２５に設けたばね受３３と従動ローラ２１の軸受け部に設けたばね受け３４との間に配置してある。
【００１２】
上部コンベアフレーム２４には、図３（ａ）及び図６に示すように、本体フレーム１にコンベアフレーム２２を装着するための鉤型のフレーム係合部３５が設けられており、本体フレーム１には、図６（ａ）〜（ｃ）に示すように、コンベアフレーム２２のフレーム係合部３５を挿入するためのフレーム係合穴３６と、フレーム係合穴３６に挿入されたフレーム係合部３５とフレーム係合穴３６との間にはまり込み、コンベアフレーム２２を本体フレーム１に固定するフレーム固定具３７が設けられている。フレーム固定具３７はコンベアフレーム２２を本体フレーム１へ固定する固定位置（図６（ｃ）の状態）とフレーム係合部３５とフレーム係合穴３６の間から退避してコンベアフレーム２２と本体フレーム１とを分離する解除位置（図６（ａ）、（ｂ）の状態）との２位置へ移動可能となっている。
【００１３】
これにより、コンベア１８を本体フレーム１に取り付ける場合には、図３（ａ）、（ｂ）、図４（ａ）、（ｂ）に示すように、まずフレーム固定具３７を解除位置へ移動させておき、コンベア１８の中央部付近を矢印３８の方向に押さえて、コンベアフレーム２２を真っ直ぐにしながら、上部コンベアフレーム２４のフレーム係合部３５を本体フレーム１のフレーム係合穴３６に合わせてはめこむ。そしてフレーム固定具３７を、図４（ａ）に示す矢印３９の方向に移動させると、フレーム固定具３７が固定位置でフレーム係合部３５とフレーム係合穴３６の間にはまり込みコンベア１８を本体フレーム１に固定すると共に、コンベア１８の無端ベルト２３が張られる反力でフレーム係合部３５が脱出しようとする作用力に抗してフレーム固定具３７がフレーム係合部３５を係止し、図４（ｂ）に示すように固定する。コンベア１８を取り外す場合には、フレーム固定具３７を解除位置へ移動させてフレーム係合部３５とフレーム係合穴３６の間からフレーム固定具３７を退避させる。すると、コンベアフレーム２２に張設されている無端ベルト２３の収縮作用によってコンベアフレームが折れ曲がり、フレーム係合部３５がフレーム係合穴３６から離脱してコンベア１８が取り外される。
【００１４】
なお、図７に示すように、フレーム固定具３７を固定位置方向へばね４０で付勢しておき、フレーム係合部３５の外形部にフレーム固定具３７方向から下方へ傾斜するような傾斜部４１を設けておくと、フレーム係合部３５をフレーム係合穴３６に挿入するときに傾斜部４１がフレーム固定具３７を押し退けて解除位置へ移動させ、フレーム係合部３５の挿入後にフレーム固定具３７がばね４０によってフレーム係合部３５とフレーム係合穴３６の間にはまり込むので、コンベア１８装着時にフレーム固定具３７を開放位置へ移動させておく必要がなくなり、より簡単にコンベア１８を本体フレーム１に取り付けることができるようになる。
【００１５】
本体フレーム１からコンベアを取り外した時には、無端ベルト２３の張力でコンベアフレーム２２が連結部分で折り曲げられ、コンベア１８に張設されている無端ベルト２３の張力が緩み、更にコンベアフレーム２２を折り曲げることによって、無端ベルト２３がコンベアフレーム２２から垂れ下がった状態となり、コンベアフレーム２２から無端ベルト２３を容易に取外すことができるようになる(図５参照)。
【００１６】
このようにコンベア１８装着時には、コンベア１８中央部を押さえてフレーム係合部３５をフレーム係合穴３６に挿入するだけで、簡単にコンベア１８が本体フレーム１に装着固定され、コンベア１８を取り外すときにはフレーム固定具３７を解除位置に移動させるだけで簡単にコンベア１８が本体フレーム１から取り外される。そして、取り外されたコンベアフレーム２２をさらに折り曲げることにより、コンベアフレーム２２に張設されている無端ベルト２３も容易に取外すことができる。
【００１７】
コンベア１８に使用されている無端ベルト２３は、多数の突起を備えたゴムベルト(材質はＰＶＣ)であり、この突起はメダルを滑り難くすると共に、メダルを研磨する場合にブラシのようにメダルの表面を研磨できるようになっている。
【００１８】
また、コンベア１８の始端部付近にはこぼれ防止ガイド４２が設けられており、遊技媒体投入口１５から投入されたメダルがコンベア１８の始端部側からこぼれるのを防ぎ、図１、図２に示すように、コンベア１８のベルト面に近接する位置でコンベア１８の幅に合わせて横設されている。こぼれ防止ガイド４２とコンベア１８のベルト面との接近部分では、こぼれ防止ガイド４２にメダルが通過しない程度の切欠４３がいくつか設けられ、コンベア１８上の異物や洗浄液が切欠４３ら排出されるようになっている。そして、こぼれ防止ガイド４２からコンベア１８進行方向に少し離れた後方には、メダルリミットセンサー４４が設けられており、遊技島等から回収されてきたメダルの供給量が遊技媒体洗浄装置の処理能力より多く、リミットセンサー４４の位置までコンベア１８上にメダルが蓄積されると、それを検知して遊技媒体洗浄装置へのメダルの供給を停止させるようになっている。
【００１９】
分離分別手段３は、コンベア１８の中央付近の上部に設けられており、図１、図２に示すように、コンベア上に積み重なって載置されたメダルを１枚ずつに分離する分離手段４５と、コンベア上の鉄製の異物(ビスや鉄板)を取り除く分別手段４６を備えた構成である。
分離手段４５は、コンベア１８のベルト面と同じ材質のゴムベルトで構成され、コンベア１８の幅と略同じ長さで分離手段の先端が、コンベア１８のベルト面に対し、ほぼメダル１枚分の厚さの距離を置いた位置で、コンベア１８を横断する方向に垂下するように設けられている。
分別手段４６はコンベア１８の幅とほぼ同じ長さの磁石がコンベア１８を横断する方向で設けられている。分離手段４５と分別手段４６とは一体的に形成されて、コンベアフレーム２２に取り付けられている。
【００２０】
これにより、コンベア１８始端部に供給されたメダルが積み重なって搬送されてきても、分離部材によって１枚ずつに分離されて搬送され、メダル以外の鉄製の異物（ビスや鉄板等）がコンベア１８上に存在していても分別手段４６である磁石によって取り除かれ、装置の故障を防ぐことができるようになっている。
【００２１】
洗浄手段４は、分離分別手段３の後方に設けられており、洗浄液塗布部４７及び研磨部４８で構成され、コンベアガイド１９に取り付けられている。
洗浄液塗布部４７は、後述するタンク６から供給される洗浄液を絶えずコンベア１８のベルト面に供給するようになっており、図１、図２に示すように、コンベア１８の全幅に跨った箱状部４９を介して洗浄液が供給される。箱状部４９はコンベア１８に沿って傾斜し、その傾斜の下側の端壁が欠如し、上面壁の前半部が底側へ屈曲して底の端縁に接近しており、底の端縁が凹凸に形成され、流出する洗浄液が略平らで襞を有する形となって分離分別手段３の出口付近に達するようになっている。これにより分離分別手段３を出たコンベア１８上のメダルに略均等に洗浄液が塗布される。
【００２２】
研磨部４８は、図１、図８に示すように、平板状をなし下面を研磨面５０に形成され、洗浄液塗布部４７の下側に配置された研磨部材５１で構成され、研磨面５０がコンベア１８のベルト面と同じ材質の研磨材を取り付けて形成され、ベルト面とほぼ同じ幅を有し、多数の突起を有し、その研磨面５０がコンベア１８のベルト面と対向し、ベルト面との間にメダルを挟み込んで、洗浄液が塗布されたメダルの表面を研磨するようになっている。この研磨面５０を有する研磨部材５１は、コンベアガイド１９に取り付けられている研磨部材支持部５２によって、研磨面５０がコンベア１８のベルト面に対してほぼメダル１枚分の距離を置く位置に支持されるようになっている。研磨部材支持部５２は、図９に見られるように、コンベアガイド１９に固定された両側から内側へ突出した支持面５３をＬ字型断面の部材により形成され、研磨部材５１の両側縁を支持するようになっており、また洗浄手段４の箱状部４９下面に取り付けられた板ばね５４により研磨部材５１を上側から支持面側に押圧するようになっている。そして研磨部材５１にはコンベア１８の始端側に下方へ折り曲げた折り曲げ縁５５を有し、研磨部材５１のコンベア進行方向の移動に対して、折り曲げ縁５５が研磨部材支持部５２の部材端に係合して係止される（図９（ａ）参照）。
【００２３】
これにより、コンベア１８により搬送されてきたメダル１４は、研磨部材５１の研磨面５０とコンベア１８のベルト面とに挟み込まれるが、コンベア１８は駆動し続けているため、コンベア１８のベルト面と研磨部材５１の研磨面５０の摩擦によって研磨されながら搬送される。なお、研磨部材５１の研磨面５０の材質がコンベア１８のベルト面と同じ材質であるとメダルの両面にかかる摩擦力が双方でほぼ同じとなるため、メダルの両面をほぼ均等に研磨することができる。この時のメダルの搬送速度は、コンベア１８の搬送速度の約１／２程になる。また、コンベア１８のベルト面および研磨部材５１の研磨面５０に設けられている複数の突起は、各面の摩擦によってメダルの表面をブラシのように研磨する。
【００２４】
また、研磨部材５１は、コンベア１８始端部に折り曲げ縁で研磨部材支持部５２に引っかかり、板ばね５４によって常にコンベア１８のベルト面方向へ付勢されているので、コンベア１８の動作でメダルを搬送し、コンベア１８のベルト面と研磨部材５１の研磨面５０とでメダルの表面を研磨する時に研磨部材５１がコンベア１８の動作に伴って動くことが防止される。研磨部材５１の研磨部材支持部５２に引っかかっている折り曲げ縁５５の部分を図９（ｂ）の矢印５６の方向に押し上げると、簡単に研磨部材５１を矢印５７の方向に引き抜いて取り外すことができ、研磨部材５１を研磨部材支持部５２と板ばね５４の間に差し込むだけで簡単に固定することもできるので、研磨部材５１の交換が容易である。
【００２５】
研磨部材５１のコンベア１８終端部側には、図１、図１０に示すように、乾燥手段５の近くまで板状の搬送ガイド機能を備えた搬送検知ガイド５８が設けられており、コンベア１８終端部から乾燥手段５へメダルを導く搬送路５９を形成していると共に、搬送路５９のメダルの詰まりを検知するようになっている。すなわち、搬送検知ガイド５８の上部には、搬送検知ガイド５８との距離によって搬送路５９内のメダルの詰まりを検知する詰まり検知センサー６０が設けられている。搬送検知ガイド５８は、前記板ばね５４で押圧されているから、これに抗して上方変位可能であり、その変位を検知センサー６０が検知するようになっている。つまり、搬送検知ガイド５８が詰まり検知センサー６０の検知片を兼ねており、搬送路５９内でメダルが詰まった場合には、メダルによって搬送検知ガイド５８が押し上げられ、搬送検知ガイド５８と詰まり検知センサー６０の距離が小さくなることにより、詰まり検知センサー６０が搬送路５９内でメダルが詰まっていることを検知するようになっている。
【００２６】
これにより、例えば搬送路５９の幅方向端部でメダルが詰まった場合でも、メダルによって搬送検知ガイド５８全体が押し上げられ、変位するので、搬送検知ガイド５８と詰まり検知センサー６０の間隔が狭まり、詰まり検知センサー６０が搬送路５９内のメダルの詰まりを検知して駆動源であるモータ２７が停止する。これにより、メダルが詰まったままで後述する乾燥ローラ６１、６２が回転することを防ぎ、乾燥ローラ６１、６２の故障を防止できる。
なお、メダルの詰まりを検知した場合には、前述のモータ２７を停止させる以外に、モータ２７を逆回転させて詰まりを解消させてもよい。
【００２７】
乾燥手段５は、コンベア１８終端部の後方に設けられており、図１、図１０に見られるように、上下に一対の乾燥ローラ６１、６２からなる。下側の乾燥ローラ６１は、モータ２７に連結される駆動ローラの役目をし、上側の乾燥ローラ６２は、下側の乾燥ローラ６１の回転に合わせて回転する従動ローラの役目をするようになっている。乾燥ローラ６１の駆動には、コンベア１８の駆動用モータ２７を共用してある。すなわち、歯車３０に噛み合う歯車６３を乾燥ローラ６１の回転軸に固定してある。
【００２８】
乾燥ローラ６１、６２は、何れも同じ筒状の中央芯部６４に吸水性の材料が巻き付けられた構成になっており、図２、図１０に見られるように、回転軸６５が乾燥ローラ６１、６２両側から夫々中央芯部６４に差し込まれ、乾燥ローラが空回りしないようピン６６によって乾燥ローラの中央芯部６４と回転軸６５が固定され、回転軸６５の両端には回転軸受６７（外輪付きの軸受）が取り付けられている。そして、この乾燥ロ−ラ６１、６２は、搬送路５９によってコンベア１８から導かれたメダルを挟持して回転するように押圧付勢された状態で、図１１（ｄ）に示すように、ローラ支持ガイド６８と、ローラ固定部材６９と、固定具７０と、により回転軸受６７の外周部分を固定状態に支持されている。
【００２９】
ローラ支持ガイド６８は、本体フレーム１の後端に折り曲げ部で形成された斜面７１、７２が後方に開いた位置関係で、下側乾燥ローラ６１の回転軸受６７外周に当接するように設けてある。斜面７１は上方伸延部が固定された状態の上側乾燥ローラ６２の回転軸受６７にも当接するようになっている。そして更にその上方の伸延している部分にローラ固定状態では回転軸受６７と当接しない案内斜面７３を設けてある。案内斜面７３は案内付勢部として設けたものである。
ローラ固定部材６９は、上側乾燥ローラ６２の両端の回転軸受６７外周に対応して本体フレーム１に軸７４により回動可能に支持されたレバー状部７５を両側に有しており、双方のレバー状部７５の間を双方が同様に回動するように板状体７６で連結してあり、双方のレバー状部７５の先端部に、図１１（ｃ）、（ｄ）に見られるように、上側乾燥ローラ６２の回転軸受６７外周を後方から押圧する傾斜部７７を有している。この傾斜部７７は固定具７０で係止される位置まで回動する際に上側乾燥ローラ６２の回転軸受６７を下側乾燥ローラ６１側へ押圧していく案内付勢部として設けてある。
【００３０】
固定具７０は、図１１に見られるように、本体フレーム１後端部上方位置に一端を回動可能に軸支持された板状のカバー部材７８の他端縁に鉤状部７９を屈曲形成されたもので、その鉤状部７９がローラ固定部材６９の設けられている板状体７６を係止するように設けてある。その係止状態は、ローラ固定部材６９が回動して、上側乾燥ローラ６２が所定量下側乾燥ローラ６１に押圧付勢された状態となる位置（図１１（ｄ）参照）である。
【００３１】
乾燥ローラ６１、６２を本体フレーム１に取り付けるには、図１１に示すように、乾燥ローラ６１、６２の回転軸６５の両端に夫々回転軸受６７を装着し、下側の乾燥ローラ６１の回転軸受６７をローラ支持ガイド６８の斜面７１、７２間に挿入して下側の乾燥ローラ６１を本体フレーム１に支持させる（同図（ａ）参照）。そして、上側の乾燥ローラ６２を下側の乾燥ローラ６１に接触するようにローラ固定部材６９上に載せ（図１１（ｂ）参照）、ゆっくりとローラ固定部材６９をローラ支持ガイド６８側へ回動させる。すると、ローラ固定部材６９上の上側乾燥ローラ６２の回転軸受６７が、ローラ支持ガイド６８の案内斜面７３とローラ固定部材６９の傾斜部７７に挟まれて保持される（図１１（ｃ）参照）。更にローラ固定部材６９を回動し、ローラ支持ガイド６８側へ押し付けると、上側の乾燥ローラ６２の回転軸受６７は、ローラ支持ガイド６８の案内斜面７３とローラ固定部材６９の傾斜部７７とをすべるように移動し、途中で案内斜面７３から傾斜面７１の上方部に当接位置が変わり、下側の乾燥ローラ６１方向へゆっくりと付勢されていく。そして、ローラ支持ガイド６８とローラ固定部材６９に挟まれて、上側乾燥ローラ６２の回転軸受６７が所定の支持位置に支持された後、固定具７０によってローラ固定部材６９を固定すると、乾燥ローラ６１、６２は本体フレーム１に取り付けられる。なお、固定具７０は、乾燥ローラ６１、６２の弾性によるローラ固定部材６９を開く方向の反力で固定位置に保持される。このように支持された上下の乾燥ローラ６１、６２の出口側、つまり繰り出し側には本体フレーム１の遊技媒体排出口１７が位置している。
なお、前記案内付勢部としての斜面７３、７７は、ローラ支持ガイド６８とローラ固定部材６９との双方に設けたが、いずれか一方に設けても角度や位置を適切に決めれば略同じ案内付勢作用をさせることができる。
【００３２】
乾燥ローラ６１、６２の表面の吸水性の材料によって乾燥されたメダルは、乾燥ローラ後方の遊技媒体排出口１７へ搬送され、そこからホッパー１６へと排出されてメダルの洗浄が終了する。乾燥ローラ６１、６２に吸収された洗浄液は、乾燥ローラの付勢によってその入口側へ絞り出され、乾燥ローラ６１、６２下方の本体フレーム１の樋部１０へ排出される。
【００３３】
タンク６は、本体フレーム１下部に設けられ、洗浄液を貯留する箱型形状とされている。タンク６には、図１２に示すように、タンク６内容積の８分目程まで給水部材であるスポンジ８０が充填されている。このスポンジ８０は、タンク内形状に合わせた形状のものとされており、上下二つの部分８１、８２に分かれており、上部のスポンジ８１は目が細かく、洗浄装置から回収されてきた洗浄液から不純物を取り除くフィルタの役目をしている。また下部のスポンジ８２は、目が粗く、スポンジの飽和給水量近くまで洗浄液を吸収して保持している。これによってタンク６が振動した場合でも、洗浄液はスポンジに吸収されているためこぼれ難く、洗浄手段４から洗浄液がタンク６上部へ回収されてきても上部のスポンジ８１によって吸収され、洗浄液が撥ね返りにくくなっている。また、装置本体からビスやメダル等の異物がタンクに落下してきても、スポンジの上面で洗浄液と分離されて残るので、容易に取り除くことができるようになっている。
【００３４】
洗浄液塗布部４７へ洗浄液を供給するホース８３の吸い込み側端は下部のスポンジ８２に差し込まれ、タンクの下部付近に達しておりおり、下部のスポンジ８２に吸収されている洗浄液を洗浄液供給手段であるポンプ８４によって吸出し、ホース８５を介して洗浄液塗布部４７へ供給する。ポンプ８４は本体フレーム１内のタンク６近くの適所に設けられている。また、コンベア１８や乾燥ローラ６１、６２から排出された洗浄液は洗浄液回収手段である本体フレーム１の樋部１０を伝って、本体フレーム１の樋部１０の開口１３から、タンク６上部へ回収される。回収された洗浄液は、上部のスポンジ８１により不純物を取り除かれ、下部のスポンジ８２へと送られる。
【００３５】
スポンジ８０を供給側と回収側の２つに分割しなくても洗浄液のこぼれ抑制の効果は得られるが、スポンジ８０を供給側と回収側の２つに分割することで洗浄液中の不純物によってスポンジが汚れた場合であっても上部のスポンジ８１を交換あるいは洗浄するだけでよく、メンテナンスが容易になるため、本実施の形態では、スポンジ８０を二つにして使用している。また、スポンジ８１、８２が一体の場合は、一体のスポンジに飽和吸水量近くまで洗浄液を吸収させていると、回収されてきた洗浄液を充分に吸収できなくなってしまう恐れがあるので、ある程度の余裕を持たせた状態（スポンジの上部付近が洗浄液を吸収していない状態）にしておくとよい。
また、上部のスポンジ８１の形状を、中央部を低く、端部を高く形成すれば、回収された洗浄液が、確実に上部のスポンジ８１に吸収され、洗浄液に含まれる不純物をより確実に取り除くことができる。
【００３６】
また別に、図１３に示すように、スポンジ８０を左右２つの部分８６、８７にし、一方のスポンジ８７から洗浄液を供給し、もう一方のスポンジ８６へ洗浄液を回収するようにしてもよい。この場合は、回収された洗浄液をスポンジ８６内に差し込んだパイプ８８でタンク６に戻す構成とし、そのスポンジ８６で異物を捕獲するようにする。
【００３７】
その他の実施の形態として次のような構成も考えられる。その概略は、前記実施の形態と同様に、遊技島や遊技機、遊技媒体貸出機等から回収されてきた遊技媒体であるメダルを搬送手段で搬送し、搬送中に、洗浄液を使用する洗浄手段で洗浄し、乾燥手段でメダルの洗浄液を除去して乾燥させる構成の遊技媒体洗浄装置である。以下の説明において前記実施の形態と同等部分は同一図面符号で示してある。
【００３８】
この遊技媒体洗浄装置は、図１４〜図２４に示すように、本体フレーム１、搬送手段２（コンベア１８）、分離分別手段３、洗浄手段４（洗浄液塗布部４７、研磨部４８）、乾燥手段５、洗浄手段４に付随したタンク６等で構成されており、以下これらについて説明する。
【００３９】
本体フレーム１は、図１４、図１５に示すように、傾斜した樋部１０が、脚部１１、１２で支持された構成である。樋部１０は、傾斜した下方の端部に下方に開口した開口１３を有している。また、本体フレーム１には、樋部１０の下流側上方位置に遊技機等から回収されてきた遊技媒体であるメダル１４を装置内に投入する遊技媒体投入口１５が設けられている。その投入は、例えばリフトによって行われる。そして、樋部１０の傾斜した上方の端部には洗浄されたメダル１４をホッパー１６に排出する遊技媒体排出口１７が設けられている。
【００４０】
搬送手段２は、遊技媒体洗浄装置内でメダル１４を載置して搬送するもので、大部分がコンベア１８で構成され、遊技媒体排出口１７直前の部分が乾燥手段５の乾燥ローラで構成されている。図１４に示すように、コンベア１８は、樋部１０の底から上方へ離れた位置に、樋部１０にほぼ平行に傾斜し、下方の端部を始端側として本体フレーム１に着脱自在に設けられ、その始端部が前記投入口１５の下側に位置し、終端部が前記排出口１７に近いところに位置している。コンベア１８の両側面には、コンベア１８からメダルがこぼれるのを防止するためのコンベアガイド１９が取り付けられている。コンベア１８の始端部を傾斜させているのは、コンベア１８上のメダル１４が積み重なっていても、積み重なったメダルが滑り落ちることでメダルを１枚ずつに分離しやすくするためである。
【００４１】
また、コンベア１８の終端部上部には、コンベア１８終端部付近を軸として回動し、後述の研磨部材５１をコンベア１８と共に挟み込んで固定すると共に、コンベア１８が上方向へ動かないように規制する上部フレーム８９が設けられている。
上部フレーム８９には、後述するメダルに洗浄液を塗布する洗浄液塗布部４７と、メダルのつまりを検知する詰まり検知センサー６０、研磨部材５１をコンベア１８のベルト面方向へ付勢する板ばね５４と、上部フレーム８９が研磨部材５１を挟み込んだ位置で固定する上部フレーム係合部８９ａ（図１６ａ参照）が取り付けられている。
【００４２】
コンベア１８は、図１４〜図１８に見られるように、駆動ローラ２０や従動ローラ２１が取り付けられたコンベアフレーム２２と、駆動ローラ２０および従動ローラ２１に張設された無端ベルト２３から成っている。コンベアフレーム２２は、上部コンベアフレーム２４と下部コンベアフレーム２５との２つの部分が端部の連結部２６で連結され、コンベアフレーム２２が本体フレーム１から分離しているときには、連結部２６を軸として自由に折り曲げることができるようになっている。この傾斜して設けられるコンベアフレーム２２の上側端に駆動ローラ２０が設けられ、本体フレーム１に設けてあるモータ２７で歯車２８、２９、３０、３１を介して駆動される。コンベアフレーム２２の下側端には、図１７に示すように、従動ローラ２１が、張設される無端ベルトの張力を設定するテンションばね３２と共に設けられている。テンションばね３２は下部コンベアフレーム２５に設けたばね受３３と従動ローラ２１の軸受け部に設けたばね受け３４との間に配置してある。
【００４３】
上部コンベアフレーム２４には、図１６（ａ）及び図１８に示すように、本体フレーム１にコンベアフレーム２２を装着するための鉤形のフレーム係合部３５と、研磨部材４１を取り付ける研磨部材係合ピン９０が設けられており、本体フレーム１には、図１６及び図１８に示すように、コンベアフレーム２２のフレーム係合部３５を挿入するためのフレーム係合穴３６との間にはまり込み、コンベアフレーム２２を本体フレーム１に固定するフレーム固定具３７が設けられ、フレーム固定具３７には、上部フレーム８９に設けられている上部フレーム係合部８９ａの上方に位置して上部フレーム８９が研磨部材５１を挟み込んだ位置から回動しないように固定する固定位置(図１８(ｃ)の状態)とフレーム係合部３５とフレーム係合穴３６の間から退避してコンベアフレーム２２と本体フレーム１とを分離すると共に、上部フレーム係合部８９ａの上部から退避して、上部フレーム８９を回動可能にする解除位置（図１８(ａ)、(ｂ)の状態）との２位置へ移動可能になっている。
【００４４】
これにより、コンベア１８を本体フレーム１に取り付ける場合には、図１６(ａ)、(ｂ)、(ｃ)，(ｄ)に示すように、まずフレーム固定具３７を解除位置へ移動させておくと共に、上部フレーム８９をコンベアフレーム２２の取り付け位置から回動させて退避させておく。そして、上部コンベアフレーム２４に設けられている研磨部材係合ピン９０に後述する研磨部材５１を取り付けたコンベア１８の中央部付近を矢印３８の方向に押さえ（図16（ｂ）参照）、コンベアフレーム２２を真っ直ぐにしながら、上部コンベアフレーム２４のフレーム係合部３５を本体フレーム１のフレーム係合穴３６に合わせてはめ込み（図１６（ｃ）参照）、上部フレーム８９を研磨部材５１がコンベアフレーム２２との間に挟み込まれる位置まで回動させる。そして、フレーム固定具３７を、図１６(ｃ)に示す矢印３９の方向に移動させると、フレーム固定具３７が固定位置でフレーム係合部３５とフレーム係合穴３６の間にはまり込むと共に、上部フレーム固定部３７ａが上部フレーム係合部８９ａの上方に位置し、コンベア１８を本体フレームに固定すると共に、無端ベルト２３が張られる反力でフレーム係合部３５が脱出しようとする作用力に抗してフレーム固定具３７がフレーム係合部３５を係止し、上部フレーム８９が上方へ回動しないように固定すると共に、上部フレーム８９に設けられている板ばね５４の反力で、上部フレーム８９が上方へ回動しようとする作用力に抗してフレーム固定具３７の上部フレーム固定部３７ａが上部フレーム係合部８９ａを係止する（図１６（ｄ）の状態）。コンベア１８を取り外す場合には、フレーム固定具３７を解除位置へ移動させてフレーム係合部３５とフレーム係合穴３６の間からフレーム固定具３７を退避させると共に、上部フレーム係合部８９ａの上方から上部フレーム固定部３７ａを退避させる。そして、上部フレームを回動させて、コンベアフレーム２２の取り付け位置から退避させると、コンベアフレーム２２に調節されている無端ベルト２３の伸縮作用によってコンベアフレーム２２が折れ曲がり、フレーム係合部３５がフレーム係合穴３６から離脱してコンベア１８が取り外される。
【００４５】
本体フレーム１からコンベアを取り外した時には、無端ベルト２３の張力でコンベアフレーム２２が連結部分で折り曲げられ、コンベア１８に張設されている無端ベルト２３の張力が緩み、更にコンベアフレーム２２を折り曲げることによって、無端ベルト２３がコンベアフレーム２２から垂れ下がった状態となり、コンベアフレーム２２から無端ベルト２３を容易に取外すことができるようになる(図１７参照)。
【００４６】
このようにコンベア１８装着時には、コンベア１８中央部を押さえてフレーム係合部３５をフレーム係合穴３６に挿入するだけで、簡単にコンベア１８が本体フレーム１に装着固定され、コンベア１８を取り外すときにはフレーム固定具３７を解除位置に移動させるだけで簡単にコンベア１８が本体フレーム１から取り外される。そして、取り外されたコンベアフレーム２２をさらに折り曲げることにより、コンベアフレーム２２に張設されている無端ベルト２３も容易に取外すことができる。
【００４７】
コンベア１８に使用されている無端ベルト２３は、多数の突起を備えたゴムベルト(材質はＰＶＣ)であり、この突起はメダルを滑り難くすると共に、メダルを研磨する場合にブラシのようにメダルの表面を研磨できるようになっている。
【００４８】
また、コンベア１８の始端部付近にはこぼれ防止ガイド４２が設けられており、遊技媒体投入口１５から投入されたメダルがコンベア１８の始端部側からこぼれるのを防ぎ、図１４、図１５に示すように、コンベア１８のベルト面に近接する位置でコンベア１８の幅に合わせて横設されている。こぼれ防止ガイド４２とコンベア１８のベルト面との接近部分では、こぼれ防止ガイド４２にメダルが通過しない程度の切欠４３がいくつか設けられ、コンベア１８上の異物や洗浄液が切欠４３ら排出されるようになっている。そして、こぼれ防止ガイド４２からコンベア１８進行方向に少し離れた後方には、メダルリミットセンサー４４が設けられており、遊技島等から回収されてきたメダルの供給量が遊技媒体洗浄装置の処理能力より多く、リミットセンサー４４の位置までコンベア１８上にメダルが蓄積されると、それを検知して遊技媒体洗浄装置へのメダルの供給を停止させるようになっている。
【００４９】
分離分別手段３は、コンベア１８の中央付近の上部に設けられており、図１４、図１５に示すように、コンベア上に積み重なって載置されたメダルを１枚ずつに分離する分離手段４５と、コンベア上の鉄製の異物(ビスや鉄板)を取り除く分別手段４６を備えた構成である。
分離手段４５は、コンベア１８のベルト面と同じ材質のゴムベルトで構成され、コンベア１８の幅と略同じ長さで分離手段の先端が、コンベア１８のベルト面に対し、ほぼメダル１枚分の厚さの距離を置いた位置で、コンベア１８を横断する方向に垂下するように設けられている。
分離手段４５をゴムベルトとすることで、メダルが分離手段とコンベアの間に咬み込んだ場合でも分離手段が弾性変形してコンベアのベルト面を傷つけることを防ぐことができる。
分別手段４６はコンベア１８の幅とほぼ同じ長さの磁石がコンベア１８を横断する方向で設けられている。分離手段４５と分別手段４６とは一体的に形成されて、コンベアフレーム２２に取り付けられている。
【００５０】
これにより、コンベア１８始端部に供給されたメダルが積み重なって搬送されてきても、分離部材によって１枚ずつに分離されて搬送され、メダル以外の鉄製の異物（ビスや鉄板等）がコンベア１８上に存在していても分別手段４６である磁石によって取り除かれ、装置の故障を防ぐことができるようになっている。
【００５１】
洗浄手段４は、分離分別手段３の後方に設けられており、洗浄液塗布部４７及び研磨部４８で構成され、洗浄液塗布部４７は、上部フレーム８９に設けられ、研磨部４８は、研磨部材係合ピン９０によってコンベアフレーム２２に取り付けられている。
洗浄液塗布部４７は、後述するタンク６から供給される洗浄液を絶えずコンベア１８のベルト面に供給するようになっており、図１４、図１５に示すように、コンベア１８の全幅に跨った箱状部４９を介して洗浄液が供給される。箱状部４９はコンベア１８の始端部側の下側端縁に洗浄液を流出する複数の穴が横一列に設けられており、流出した洗浄液は、研磨部材５１の上面を伝って、分離分別手段３の出口付近に達するようになっている。
【００５２】
研磨部材５１は、図１４、図１９、図２０に示すように、洗浄液塗布部４７の上部フレーム８９とコンベア１８の間に挟まれた位置に配置され、両端の研磨部材ガイド部５１ｂと、コンベア１８のベルト面と略同幅で同じ材質の研磨材が取り付けられて研磨面５０が形成されている中央部とで構成されている。研磨面５０は、ベルト面と対向し、ベルト面との間にメダルを挟みこんで洗浄液が塗布されたメダルの表面を研磨するようになっている。研磨面５０は、研磨部材ガイド部５１ｂによってコンベア１８のベルト面に対して略メダル１枚分の距離を置く位置に保持されるようになっており、研磨部材５１の両端に設けられた、研磨部材係合穴５１ａによってコンベアフレーム２２に設けられている研磨部材係合ピン９０に取り付けられるようになっている。また、上部フレーム８９下面に取り付けられている板ばね５４によって研磨部材５１をコンベアフレーム２２に押圧するようになっている。
このようにコンベアフレーム２２に直接研磨部材５１を取り付けることにより、前述した実施の形態のように、研磨部材５１を研磨部材支持部５２によって支持するものに比べ、研磨面５０とベルト面の距離の誤差を少なくすることができる。
【００５３】
これにより、コンベア１８により搬送されてきたメダル１４は、研磨部材５１の研磨面５０とコンベア１８のベルト面とに挟み込まれるが、コンベア１８は駆動し続けているため、コンベア１８のベルト面と研磨部材５１の研磨面５０の摩擦によって研磨されながら搬送される。なお、研磨部材５１の研磨面５０の材質がコンベア１８のベルト面と同じ材質であるとメダルの両面にかかる摩擦力が双方でほぼ同じとなるため、メダルの両面をほぼ均等に研磨することができる。この時のメダルの搬送速度は、コンベア１８の搬送速度の約１／２程になる。また、コンベア１８のベルト面および研磨部材５１の研磨面５０に設けられている複数の突起は、各面の摩擦によってメダルの表面をブラシのように研磨する。
【００５４】
研磨部材５１のコンベア１８終端部側には、図１４、図１９、図２０に示すように、乾燥手段５の近くまで板状の搬送ガイド機能を備えた搬送検知ガイド５８が設けられており、コンベア１８終端部から乾燥手段５へメダルを導く搬送路５９を形成していると共に、搬送路５９のメダルの詰まりを検知するようになっている。すなわち、搬送検知ガイド５８の上部には、搬送検知ガイド５８との距離によって搬送路５９内のメダルの詰まりを検知する詰まり検知センサー６０が設けられている。搬送検知ガイド５８は、前記板ばね５４で押圧されているから、これに抗して上方変位可能であり、その変位を検知センサー６０が検知するようになっている。つまり、搬送検知ガイド５８が詰まり検知センサー６０の検知片を兼ねており、搬送路５９内でメダルが詰まった場合には、メダルによって搬送検知ガイド５８が押し上げられ、搬送検知ガイド５８と詰まり検知センサー６０の距離が小さくなることにより、詰まり検知センサー６０が搬送路５９内でメダルが詰まっていることを検知するようになっている。
【００５５】
これにより、例えば搬送路５９の幅方向端部でメダルが詰まった場合でも、メダルによって搬送検知ガイド５８全体が押し上げられ、変位するので、搬送検知ガイド５８と詰まり検知センサー６０の間隔が狭まり、詰まり検知センサー６０が搬送路５９内のメダルの詰まりを検知して駆動源であるモータ２７が停止する。これにより、メダルが詰まったままで後述する乾燥ローラ６１、６２が回転することを防ぎ、乾燥ローラ６１、６２の故障を防止できる。
なお、メダルの詰まりを検知した場合には、前述のモータ２７を停止させる以外に、モータ２７を逆回転させて詰まりを解消させてもよい。
【００５６】
乾燥手段５は、コンベア１８終端部の後方に設けられており、図１４、図２１に見られるように、上下に一対の乾燥ローラ６１、６２からなる。下側の乾燥ローラ６１は、モータ２７に連結される駆動ローラの役目をし、上側の乾燥ローラ６２は、下側の乾燥ローラ６１の回転に合わせて回転する従動ローラの役目をするようになっている。乾燥ローラ６１の駆動には、コンベア１８の駆動用モータ２７を共用してある。すなわち、歯車３０に噛み合う歯車６３を乾燥ローラ６１の回転軸に固定してある。
【００５７】
乾燥ローラ６１、６２は、何れも同じ筒状の中央芯部６４に吸水性の材料が巻き付けられた構成になっており、図１４、図１５、図２１に見られるように、回転軸６５が乾燥ローラ６１、６２両側から夫々中央芯部６４に差し込まれ、乾燥ローラが空回りしないようピン６６によって乾燥ローラの中央芯部６４と回転軸６５が固定され、回転軸６５の両端には回転軸受６７（外輪付きの軸受）が取り付けられている。そして、この乾燥ロ−ラ６１、６２は、搬送路５９によってコンベア１８から導かれたメダルを挟持して回転するように押圧付勢された状態で、図２１（ｄ）に示すように、ローラ支持ガイド６８と、ローラ固定部材６９と、固定具７０と、により回転軸受６７ａ、６７ｂの外周部分を固定状態に支持されている。
【００５８】
ローラ支持ガイド６８は、本体フレーム１の後端に折り曲げ部で形成された斜面７１、７２が後方に開いた位置関係で、下側乾燥ローラ６１の回転軸受６７ｂ外周に当接するように設けてある。斜面７１は上方伸延部が固定された状態の上側乾燥ローラ６２の回転軸受６７ａにも当接するようになっている。そして更にその上方の伸延している部分にローラ固定状態では回転軸受６７ａと当接しない案内面７３を設けてある。案内面７３は案内付勢部として設けたものである。
ローラ固定ガイド６９は、上側乾燥ローラ６２の両端の回転軸受６７ａ外周に対応して本体フレーム１に軸７４により回動可能に支持されたレバー状部７５の先端部に、図２１(ｃ)、(ｄ)にみられるように、上側乾燥ローラ６２の回転軸受６７ａの後方から押圧する傾斜部７７ａと、下側乾燥ローラ６１の回転軸受６７ｂを後方から固定する傾斜部７７ｂを有している。上部乾燥ローラ６２の回転軸受６７を後方から押圧する傾斜部７７ａは、固定具７０で係止される位置まで回動する際に上側乾燥ローラ６２の回転軸受６７ａを下側乾燥ローラ６１側へ押圧していく案内付勢部として設けてある。
下側乾燥ローラ６１を固定する傾斜部７７ｂを設けることにより、下側乾燥ローラ６１が回転する際に、乾燥ローラ６１、６２同士の弾性によって位置がずれるのを防ぐことができ、乾燥ローラ６１、６２を安定して回転させて遊技媒体から洗浄液を除去することができる。
【００５９】
乾燥ローラ６１、６２を本体フレーム１に取り付けるには、図２１に示すように、乾燥ローラ６１、６２の回転軸６５の両側に夫々回転軸受６７ａ、６７ｂを装着し、下側の乾燥ローラ６１の回転軸受６７ｂをローラ支持ガイド６８の斜面７１、７２間に挿入して下側の乾燥ローラ６１を本体フレーム１に支持させる(図２１(ａ)参照)。そして上側の乾燥ローラ６２を下側の乾燥ローラ６１に接触するようにローラ固定部材６９上に載せ（図２１(ｂ)参照）、ゆっくりとローラ固定部材６９をローラ支持ガイド６８側へ回動させる。すると、ローラ固定部材６９上の上側乾燥ローラ６２の回転軸受６７ａが、ローラ支持ガイド６８の案内斜面７３とローラ固定部材６９の上方側の傾斜部７７ａに挟まれて保持される(図２１(ｃ)参照)。更にローラ固定部６９を回動し、ローラ支持ガイド６８側へ押し付けると、ローラ固定部材６９の下方側の傾斜部７７ｂが、ローラ支持ガイド６８の傾斜面７１、７２と共に下側乾燥ローラ６１の回転軸受６７ｂを挟み込んで固定し、上側乾燥ローラ６２の回転軸受６７ａは、ローラ支持ガイド６８の案内斜面７３とローラ固定部材６９の上方側の傾斜部７７ａとをすべるように移動し、途中で案内斜面７３から斜面７１の上方部に当接位置が変わり、下側乾燥ローラ６１方向へゆっくりと付勢されていく。そして、ローラ支持ガイド６８とローラ固定部材６９に挟まれて、上側乾燥ローラ６２の回転軸受６７ａが所定の指示位置に支持された後、固定具７０によってローラ固定部材６９を固定すると、乾燥ローラ６１、６２は本体フレーム１に取り付けられる。
このように支持された上下の乾燥ローラ６１、６２の出口側、つまり繰り出し側には本体フレーム１の遊技媒体排出口が位置している。
なお、前記案内付勢部として斜面７３、７７ａは、ローラ支持ガイド６８とローラ固定部材６９との双方に設けたが、いずれか一方に設けても角度や位置を適切に決めれば略同じ案内付勢作用をさせることができる。
【００６０】
乾燥ローラ６１、６２の表面の吸水性の材料によって乾燥されたメダルは、乾燥ローラ後方の遊技媒体排出口１７へ搬送され、そこからホッパー１６へと排出されてメダルの洗浄が終了する。乾燥ローラ６１、６２に吸収された洗浄液は、乾燥ローラの付勢によってその入口側へ絞り出され、乾燥ローラ６１、６２下方の本体フレーム１の樋部１０へ排出される。
【００６１】
タンク６は、本体フレーム１下部に設けられ、洗浄液を貯留する箱型形状とされている。タンク６には、図２２に示すように、タンク６内容積の８分目程まで給水部材であるスポンジ８０が充填されている。このスポンジ８０は、タンク内形状に合わせた形状のものとされており、上下二つの部分８１、８２に分かれており、上部のスポンジ８１は目が細かく、洗浄装置から回収されてきた洗浄液から不純物を取り除くフィルタの役目をしている。また下部のスポンジ８２は、目が粗く、スポンジの飽和給水量近くまで洗浄液を吸収して保持している。これによってタンク６が振動した場合でも、洗浄液はスポンジに吸収されているためこぼれ難く、洗浄手段４から洗浄液がタンク６上部へ回収されてきても上部のスポンジ８１によって吸収され、洗浄液が撥ね返りにくくなっている。また、装置本体からビスやメダル等の異物がタンクに落下してきても、スポンジの上面で洗浄液と分離されて残るので、容易に取り除くことができるようになっている。
【００６２】
タンク６内に充填されているスポンジ８０のホース８３の挿入位置には、ホース８３を挿入するための切欠８０ａが設けられており（図２３参照）、ホース８３にスポンジ８０が接しないようになっている。これにより、洗浄液の交換あるいは、スポンジ８０の交換のため、タンク６を取り外す場合にも容易にホース８３の抜き差しが可能となる。
そしてホース８３を隔離するようにスポンジ８０の切欠８０ａ面には、上部のスポンジ８１からの洗浄液の流入を防ぐため、スポンジ８０の切欠８０ａ面と同形状で、タンク６内に充填されているスポンジ８０の高さよりやや高い洗浄液ガイド部材９１（図２４参照）が設けられている。洗浄液ガイド部材９１には、下部のスポンジ８２の高さ付近まで洗浄液を透過させる透過穴９１ａが複数設けられており、これによって、例えば、回収されてきた洗浄液が上側のスポンジにうまく吸収されなかったとしてもホース８３の挿入位置に回収されたばかりの洗浄液が流入することがなく、下部のスポンジ８２のみから洗浄液がホース８３へと供給されるようになっている。また、ホース８３を直接スポンジ８０に挿入する場合に比べて、洗浄液を吸入する際に空気を一緒に吸入してしまうことも防ぐことができる。
【００６３】
洗浄液塗布部４７へ洗浄液を供給するホース８３の吸い込み側端は、図２２に示すように、洗浄液ガイド部材９１とタンクの角部で囲まれる部分に差し込まれ、タンクの下部付近に達しており、実質的に下部のスポンジ８２に差し込まれ、下部のスポンジ８２に吸収されている洗浄液を洗浄液供給手段であるポンプ８４によって吸出し、ホース８５を介して洗浄液塗布部４７へ供給する。ポンプ８４は本体フレーム１内のタンク６近くの適所に設けられている。また、コンベア１８や乾燥ローラ６１、６２から排出された洗浄液は洗浄液回収手段である本体フレーム１の樋部１０を伝って、本体フレーム１の樋部１０の開口１３から、タンク６上部へ回収される。回収された洗浄液は、上部のスポンジ８１により不純物を取り除かれ、下部のスポンジ８２へと送られる。
【００６４】
前記実施の形態において、洗浄液を使用する洗浄装置を示したが、場合によっては洗浄液を使用しない構成の洗浄装置とすることもある。
【００６５】
【発明の効果】
請求項１に記載の発明は、搬送路における遊技媒体の詰まりを、搬送ガイドの幅方向のどの位置でも確実に検知できる効果を奏する。
請求項２に記載の発明は、簡単な構造で遊技媒体の詰まりを検知できる効果を奏する。
【図面の簡単な説明】
【図１】本発明の一実施の形態を示す概略縦断側面図である。
【図２】図１の矢印Ａ方向に見た概略平面図である。
【図３】同実施の形態におけるコンベアの取り付け過程を順次示し、（ａ）、（ｂ）は夫々異なる段階の概略側面図である。
【図４】同実施の形態におけるコンベアの取り付け過程を図３に続いて順次示し、（ａ）、（ｂ）は夫々異なる段階の概略側面図である。
【図５】同実施の形態におけるコンベアの折り曲げられる状態を示す概略側面図である。
【図６】同実施の形態におけるコンベアフレームを取り付け部分に取り付ける過程を示し、（ａ）〜（ｃ）は夫々異なる段階の部分拡大斜視図である。
【図７】本発明におけるコンベアフレームを取り付ける構成の、他の実施の形態を示す部分拡大斜視図である。
【図８】前記実施の形態における研磨部材を示し（ａ）は概略平面図、（ｂ）はその側面図である。
【図９】同実施の形態における取り付けられた研磨部材を取り外す過程を示し、（ａ）は取り付けた状態の部分斜視図、（ｂ）取り外し始めの状態を示す部分図斜視図である。
【図１０】同実施の形態における洗浄手段の出口付近にメダルが詰まった状態を示す概略の部分拡大側面図である。
【図１１】同実施の形態における乾燥ローラを取り付ける過程を示し、（ａ）、（ｂ）、（ｃ）は順次異なる段階の主要部側面図、（ｄ）は取り付けられた状態を示す主要部側面図である。
【図１２】同実施の形態におけるタンクを示す概略縦断側面図である。
【図１３】本発明におけるタンク部分の、他の実施の形態を示す概略縦断側面図である。
【図１４】本発明の、その他の実施の形態を示す概略縦断側面図である。
【図１５】図１４の矢印Ｂ方向に見た概略平面図である。
【図１６】同その他の実施の形態におけるコンベアの取り付け過程を順次示し、（ａ）〜（ｄ）は夫々異なる段階の概略側面図である。
【図１７】同その他の実施の形態におけるコンベアの折り曲げられる状態を示す概略側面図である。
【図１８】同その他の実施の形態におけるコンベアフレームを取り付け部分に取り付ける過程を示し、（ａ）〜（ｃ）は夫々異なる段階の部分拡大斜視図である。
【図１９】同その他の実施の形態における研磨部材を示し、（ａ）は概略平面図、(ｂ)はその側面図である。
【図２０】同その他の実施の形態における研磨部材の取り付け過程を示し、（ａ）は取り付け前の状態を示す部分図斜視図、（ｂ）は取り付けた状態の部分斜視図である。
【図２１】同その他の実施の形態における乾燥ローラを取り付ける過程を示し、（ａ）、（ｂ）、（ｃ）は順次異なる段階の主要部側面図、（ｄ）は取り付けられた状態を示す主要部側面図である。
【図２２】同その他の実施の形態におけるタンクとその内部を示す概略斜視図である。
【図２３】同その他の実施の形態におけるタンクに使用するスポンジを示す概略斜視図である。
【図２４】同その他の実施の形態におけるタンクに使用する洗浄液ガイド部材を示す概略斜視図である。
【符号の説明】
１      本体フレーム
２      搬送手段
３      分離分別手段
４      洗浄手段
５      乾燥手段
６      タンク
１０    樋部
１１、１２    脚部
１３    開口
１４    メダル
１５    投入口
１６    ホッパー
１７    排出口
１８    コンベア
１９    コンベアガイド
２０    駆動ローラ
２１    従動ローラ
２２    コンベアフレーム
２３    無端ベルト
２４    上部コンベアフレーム
２５    下部コンベアフレーム
２６    連結部
２７    モータ
２８、２９、３０、３１    歯車
３２    テンションばね
３３、３４    ばね受
３５    フレーム係合部
３６    フレーム係合穴
３７    フレーム固定具
３７ａ    上部フレーム固定部
３８、３９    矢印
４０    ばね
４１    傾斜部
４２    こぼれ防止ガイド
４３    切欠
４４    リミットセンサー
４５    分離手段
４６    分別手段
４７    洗浄液塗布部
４８    研磨部
４９    箱上部
５０    研磨面
５１    研磨部材
５１ａ    研磨部材係合穴
５１ｂ    研磨部材ガイド部
５２    研磨部材支持部
５３    支持面
５４    板ばね
５５    折り曲げ縁
５６、５７    矢印
５８    搬送検知ガイド
５９    搬送路
６０    詰まり検知センサー
６１、６２    乾燥ローラ
６４    中央芯部
６５    回転軸
６６    ピン
６７    回転軸受
６７ａ    上側乾燥ローラ回転軸受
６７ｂ    下側乾燥ローラ回転軸受
６８    ローラ支持ガイド
６９    ローラ固定部材
７０    固定具
７１、７２    傾斜面
７３    案内斜面
７４    軸
７５    レバー状部
７６    板状体
７７    傾斜部
７７ａ    上側乾燥ローラ用傾斜部
７７ｂ    下側乾燥ローラ用傾斜部
７８    カバー部材
７９    鉤状部
８０    スポンジ
８０ａ    切欠
８１    上部のスポンジ
８１ａ    切欠
８２    下部のスポンジ
８２ａ    切欠
８３    ホース
８４    ポンプ
８５    ホース
８６    左のスポンジ
８７    右のスポンジ
８８    パイプ
８９    上部フレーム
８９ａ    上部フレーム係合部
９０    研磨部材係合ピン
９１    洗浄液ガイド部材
【図１】
0004643036.tif 000002
【図２】
0004643036.tif 000003
【図３】
0004643036.tif 000004
【図４】
0004643036.tif 000005
【図５】
0004643036.tif 000006
【図６】
0004643036.tif 000007
【図７】
0004643036.tif 000008
【図８】
0004643036.tif 000009
【図９】
0004643036.tif 000010
【図１０】
0004643036.tif 000011
【図１１】
0004643036.tif 000012
【図１２】
0004643036.tif 000013
【図１３】
0004643036.tif 000014
【図１４】
0004643036.tif 000015
【図１５】
0004643036.tif 000016
【図１６】
0004643036.tif 000017
【図１７】
0004643036.tif 000018
【図１８】
0004643036.tif 000019
【図１９】
0004643036.tif 000020
【図２０】
0004643036.tif 000021
【図２１】
0004643036.tif 000022
【図２２】
0004643036.tif 000023
【図２３】
0004643036.tif 000024
【図２４】
0004643036.tif 000025